【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
デジタル放送受信装置において、
複数のチャンネルのデジタル放送を受信するためのデジタルマルチメディア放送（ＤＭＢ）モジュールと、
前記デジタル放送のビデオ及びオーディオ信号を出力する出力部と、
前記ＤＭＢモジュールが前記複数のチャンネルを所定の期間間隔で連続して自動的に切り替えてデジタル放送を受信するように制御し、前記ＤＭＢモジュールが受信した前記デジタル放送データを前記出力部に伝送する制御部と
を備えることを特徴とする装置。
【請求項２】
前記制御部は、常時、出力部が前記放送を出力する最中にユーザーのキー入力があった場合、前記ＤＭＢモジュールがチャンネルの自動切り替えを中止して、現在受信中の放送を受信し続けるように制御することを特徴とする請求項１に記載の装置。
【請求項３】
前記制御部は、常時、出力部が前記放送を出力する最中にイベントの発生を感知したとき、前記ＤＭＢモジュールがチャンネルの自動切り替えを中止して、現在受信中の放送を受信し続けるように制御することを特徴とする請求項１に記載の装置。
【請求項４】
前記所定の放送チャンネル一覧は、ユーザーの放送チャンネル選好度及びユーザーの選択のうちどちらか一方により決まることを特徴とする請求項１に記載の装置。
【請求項５】
前記所定の放送チャンネル一覧は、サービス放送チャンネルに関する情報を送信する電子番組ガイド（ＥＰＧ）チャンネルから得られることを特徴とする請求項１に記載の装置。
【請求項６】
前記所定の期間間隔を前記制御部に報知するタイマーをさらに有することを特徴とする請求項１に記載の装置。
【請求項７】
前記デジタル放送受信装置は、デジタル放送チャンネルの切り替え中に、格納されていた静止画像及び動画像のうちどちらか一方を出力することを特徴とする請求項１に記載の装置。
【請求項８】
前記デジタル放送受信装置が移動通信端末に実装されている場合、前記イベントは、呼の着信、ＳＭＳメッセージの着信、アラーム及びスケジュール告知のうちいずれか１種であることを特徴とする請求項３に記載の装置。
【請求項９】
前記所定の放送チャンネル一覧は、ユーザーの選択により決まることを特徴とする請求項４に記載の装置。
【請求項１０】
デジタル放送受信装置において、
少なくとも２つの放送チャンネルを受信し、当該放送チャンネルに関する伝送ストリームデータを生成して出力するＤＭＢモジュールと、
前記デジタル放送のビデオ及びオーディオ信号を出力する出力部と、
所定の時間間隔ごとに所定の放送チャンネル一覧により決まった少なくとも２つの放送チャンネルを前記ＤＭＢモジュールで受信するように制御するチャンネル設定制御部と、
前記少なくとも２つの放送チャンネルデータをそれぞれバッファリングする少なくとも２つのバッファと、
前記少なくとも２つのバッファと前記出力部との間に位置し、前記所定の時間間隔ごとに前記少なくとも２つのバッファを交互に前記出力部にスイッチングするスイッチと
を備えることを特徴とする装置。
【請求項１１】
前記制御部は、前記出力部が前記放送を出力する最中にユーザーのキー入力があった場合、前記ＤＭＢモジュールがチャンネルの自動切り替えを中止して、現在受信中の放送を受信し続けるように制御することを特徴とする請求項１０に記載の装置。
【請求項１２】
前記制御部は、前記出力部が前記放送を出力する最中にイベントの発生を感知したときには、前記ＤＭＢモジュールがチャンネルの自動切り替えを中止して、現在受信中の放送を受信し続けるように制御することを特徴とする請求項１０に記載の装置。
【請求項１３】
前記所定の期間間隔を前記制御部に報知するタイマーをさらに有することを特徴とする請求項１０に記載の装置。
【請求項１４】
前記少なくとも２つのバッファは、それぞれビデオデータをバッファリングする第１のバッファと、オーディオデータをバッファリングする第２のバッファとを有することを特徴とする請求項１０に記載の装置。
【請求項１５】
前記伝送ストリームは、自動チャンネル切り替えモードであるか、通常のチャンネル切り替えモードであるかを区別するためのモードフィールドを含むことを特徴とする請求項１０に記載の装置。
【請求項１６】
前記所定の放送チャンネル一覧は、ユーザーの放送チャンネル選好度及びユーザーの選択のうちどちらか一方により決まることを特徴とする請求項１０に記載の装置。
【請求項１７】
前記所定の放送チャンネル一覧は、サービス放送チャンネルに関する情報を送信するＥＰＧチャンネルから得られることを特徴とする請求項１０に記載の装置。
【請求項１８】
前記デジタル放送受信装置が移動通信端末に実装されている場合、前記イベントは、呼の着信、ＳＭＳメッセージの着信、アラーム及びスケジュール告知のうちいずれか１種であることを特徴とする請求項１２に記載の装置。
【請求項１９】
デジタル放送受信装置において、
デジタル放送を受信するためのＤＭＢモジュールと、
前記デジタル放送のビデオ信号を出力する表示部と、
自動チャンネル切り替えモードにおいて、所定のチャンネル一覧に基づいて前記ＤＭＢモジュールが複数のチャンネルを所定の期間間隔で連続して自動的に切り替えてデジタル放送を受信するように制御して、前記表示部の主画面上には現在視聴中のチャンネルに相当するデジタル放送のビデオ信号が表示され、かつ、副画面上には前記自動切り替えの行われるチャンネルに相当するデジタル放送のビデオ信号が表示されるように制御し、前記副画面上に前記自動切り替えの行われるチャンネルに相当するデジタル放送のビデオ信号が表示されている最中に所定のイベントの発生が感知されたとき、前記副画面上に表示していたデジタル放送のビデオ信号を前記表示部の全画面に表示するように制御する制御部と
を備えることを特徴とする装置。
【請求項２０】
スピーカーをさらに有し、
前記副画面上に前記自動切り替えの行われるチャンネルに相当するデジタル放送のビデオ信号が表示されている最中に、前記制御部が前記自動切り替えの行われるチャンネルに相当するデジタル放送のオーディオ信号が前記スピーカーへと送られないように制御することを特徴とする請求項１９に記載の装置。
【請求項２１】
ポケット型移動通信装置に設けられたデジタル放送受信装置であって、
前記ポケット型移動通信装置で多重チャンネルのデジタル放送を受信するためのＤＭＢモジュールと、
前記デジタル放送の画像及びサウンドを出力する出力部と、
ユーザーの選択に基づいて予め定められた時間間隔で前記デジタル放送のビデオデータを表示するためにチャンネルを連続して自動切り替えて前記デジタル放送を受信するように前記ＤＭＢモジュールを制御し、前記ＤＭＢモジュールで受信されたデジタル放送データが前記出力部に伝送されるように制御する制御部と、
を含むことを特徴とするデジタル放送受信装置。
【請求項２２】
前記制御部は、前記出力部が前記自動切り替えられたチャンネルを副画面に表示し、主画面にはこれとは異なるデジタル放送のビデオデータを表示するＰＩＰ(Picture In Picture)モードで前記チャンネルを自動的にに切り替えるようにＤＭＢモジュールを制御することを特徴とする請求項２１に記載のデジタル放送受信装置。
【請求項２３】
前記副画面に表示されるチャンネルの音声信号は出力されないことを特徴とする請求項２２に記載のデジタル放送受信装置。
【請求項２４】
ユーザーのキー入力があると、前記制御部は、前記ＤＭＢモジュールが自動チャンネル切り替えを中止し、現在受信中の放送を受信し続けるように制御することを特徴とする請求項２１に記載のデジタル放送受信装置。
【請求項２５】
前記制御部は、前記出力部が現在受信された放送を出力する間、予め定められたイベントを検出すると、前記ＤＭＢモジュールが自動チャンネル切り替えを中止し、現在受信中の放送を受信し続けるように制御することを特徴とする請求項２１に記載のデジタル放送受信装置。
【請求項２６】
前記予め定められたイベントは、呼着信、短文メッセージサービス（ＳＭＳ）の着信、アラーム告知、又はスケジュール告知のうちいずれか一つであることを特徴とする請求項２５に記載のデジタル放送受信装置。
【請求項２７】
前記多重チャンネルは、予め定められた放送チャンネル一覧によって決定されることを特徴とする請求項２１に記載のデジタル放送受信装置。
【請求項２８】
前記予め定められた放送チャンネル一覧は、電子プログラムガイド(ＥＰＧ)データから抽出されることを特徴とする請求項２７に記載のデジタル放送受信装置。
【請求項２９】
前記予め定められた放送チャンネル一覧は、ユーザーの選択により決定されることを特徴とする請求項２７に記載のデジタル放送受信装置。
【請求項３０】
ポケット型移動通信装置に設けられたデジタル放送受信装置であって、
ポケット型移動通信装置で多重チャンネルのデジタル放送を受信するためのＤＭＢモジュールと、
前記デジタル放送のビデオ信号及びオーディオ信号を出力する出力部と、
予め定められた時間間隔で前記デジタル放送のビデオデータを表示するためにユーザーの選択によって決定されて予め定められたチャンネル一覧内にあるチャンネルを連続して自動切り替えて前記デジタル放送を受信するように前記ＤＭＢモジュールを制御し、前記ＤＭＢモジュールで受信されたデジタル放送データが前記出力部に伝送されるように制御する制御部と、
を含むことを特徴とするデジタル放送受信装置。
【請求項３１】
前記制御部は、前記出力部が前記自動切り替えられたチャンネルを副画面に表示し、主画面にはこれとは異なるデジタル放送のビデオデータを表示するＰＩＰ(Picture In Picture)モードで前記チャンネルを自動的に切り替えるようにＤＭＢモジュールを制御することを特徴とする請求項３０に記載のデジタル放送受信装置。
【請求項３２】
前記ＰＩＰモードで前記副画面に表示されるチャンネルのサウンドは出力されないことを特徴とする請求項３１に記載のデジタル放送受信装置。
【請求項３３】
前記制御部は、前記出力部が現在受信された放送を出力する間、ユーザーのキー入力があると、前記ＤＭＢモジュールが自動チャンネル切り替えを中止し、現在受信中の放送を受信し続けるように制御することを特徴とする請求項３０に記載のデジタル放送受信装置。
【請求項３４】
前記制御部は、前記出力部が現在受信された放送を出力する間、予め定められたイベントを検出すると、前記ＤＭＢモジュールが自動チャンネル切り替えを中止し、現在受信中の放送を受信し続けるように制御することを特徴とする請求項３０に記載のデジタル放送受信装置。
【請求項３５】
前記予め定められたイベントは、呼着信、短文メッセージサービス（ＳＭＳ）の着信、アラーム告知、又はスケジュール告知のうちいずれか一つであることを特徴とする請求項３４に記載のデジタル放送受信装置。
【請求項３６】
前記予め定められた時間間隔を前記制御部に報知するためのタイマーをさらに含むことを特徴とする請求項３０に記載のデジタル放送受信装置。
【請求項３７】
前記予め定められた放送チャンネル一覧は、電子プログラムガイド(ＥＰＧ)データから抽出されることを特徴とする請求項３０に記載のデジタル放送受信装置。
【請求項３８】
ポケット型移動通信装置に設けられたデジタル放送受信装置であって、
ポケット型移動通信装置で多重チャンネルのデジタル放送を受信するためのＤＭＢモジュールと、
ポケット型移動通信装置と、
前記デジタル放送のビデオ信号を出力するための表示部と、
前記ＤＭＢモジュールが、予め定められたチャンネル一覧によって、自動チャンネル切り替えモードで複数のチャンネルを規則的な時間間隔で連続して自動切り替えてデジタル放送を受信するように制御し、前記表示部の主画面には現在視聴中のチャンネルがに該当するデジタル放送のビデオ信号が表示されるように制御し、前記表示部の副画面には前記自動切り替えられたチャンネルに該当するデジタル放送のビデオ信号が表示されるように制御して、ユーザーからのキー入力が受信されると、前記表示部の副画面に表示するデジタル放送のビデオ信号を前記表示部の主画面に表示すると同時に、前記副画面を削除するように制御する制御部と、
を含むことを特徴とするデジタル放送受信装置。
【請求項３９】
スピーカーをさらに備え、
前記自動切り替えられたチャンネルに該当するデジタル放送のビデオ信号が前記副画面に表示される間、前記制御部が前記自動切り替えられたチャンネルに該当するデジタル放送のオーディオ信号が前記スピーカーに伝送されないように制御することを特徴とする請求項３８に記載のデジタル放送受信装置。
【請求項４０】
前記制御部は、予め定められたイベントが検出されると、前記ＤＭＢモジュールが前記副画面で自動チャンネル切り替えを中止し、受信された放送を主画面に表示するように制御することを特徴とする請求項３８に記載のデジタル放送受信装置。
【請求項４１】
前記予め定められたイベントは、呼着信、短文メッセージサービス（ＳＭＳ）の着信、アラーム告知、又はスケジュール告知のうちいずれか一つであることを特徴とする請求項４０に記載のデジタル放送受信装置。
【請求項４２】
前記多重チャンネルは、予め定められた放送チャンネル一覧によって決定されることを特徴とする請求項３８に記載のデジタル放送受信装置。
【請求項４３】
前記予め定められた放送チャンネル一覧は、電子プログラムガイド(ＥＰＧ)データから抽出されることを特徴とする請求項３８に記載のデジタル放送受信装置。
【請求項４４】
前記予め定められた放送チャンネル一覧は、ユーザーの選択により決定されることを特徴とする請求項３８に記載のデジタル放送受信装置。